(57)【要約】【目的】  ユーザが自身の好みに合ったケースデザインやオプション品などを選定でき、しかもＯＥＭでの小ロット生産も可能な巻尺の製造方法を提供できるようにすることを目的とする。【解決手段】  少なくとも、巻き取り用ばね１を内装し且つ周囲に測定用テープ２を巻き回している回転ドラム３をケース内に回転自在に支持してベースケース体４を構成しておき、このベースケース体４の全部もしくは一部に、任意の形状に形成したデザインケース体５を被装して本体ケース１１を構成する。さらに、上記ベースケース体４、乃至、デザインケース体５に、オプション品として用意されている部材を装着できるようにする。【選択図】  図１
2015178987.tif 000002
【特許請求の範囲】
【請求項１】
少なくとも、巻き取り用ばねを内装し且つ周囲に測定用テープを巻き回している回転ドラムをケース内に回転自在に支持してベースケース体を構成しておき、このベースケース体の全部もしくは一部に、任意の形状に形成したデザインケース体を被装して本体ケースを構成したことを特徴とする巻尺の製造方法。
【請求項２】
上記ベースケース体に、外部に引き出した測定用テープを引き出し位置で止めておくことが可能な制動手段を設けていることを特徴とする請求項１に記載の巻尺の製造方法。
【請求項３】
上記デザインケース体が、複数の異なる形状のものが用意されていることを特徴とする請求項１に記載の巻尺の製造方法。
【請求項４】
上記デザインケース体が、ベースケース体を挿入するための開口を有したワンピース構成であることを特徴とする請求項１に記載の巻尺の製造方法。
【請求項５】
上記ベースケース体、乃至、デザインケース体が、オプション品として用意されている部材を装着可能に構成されていることを特徴とする請求項１に記載の巻尺の製造方法。
【請求項６】
少なくとも、巻き取り用ばねを内装し且つ周囲に測定用テープを巻き回している回転ドラムをケース内に回転自在に支持してベースケース体を構成しておき、このベースケース体の全部もしくは一部に、任意の形状に形成したデザインケース体を被装して本体ケースを構成する巻尺の販売方法であって、メーカは、予め作成したオーダ表をユーザに提供し、ユーザは、オーダ表中に用意されている複数のデザインケース体や複数のオプション品などの中から所望のものを選定し、必要数量をオーダ表に記してメーカに送付して注文を完了できるようにしたことを特徴とする巻尺の販売方法。
【請求項７】
上記オーダ表が、郵送もしくはファクシミリでメーカに送付されることを特徴とする請求項５に記載の巻尺の販売方法。
【請求項８】
上記オーダ表が、インターネットを利用してメーカに送付されることを特徴とする請求項５に記載の巻尺の販売方法。
【発明の詳細な説明】
【技術分野】
【０００１】
本発明は、巻尺の製造方法とこの巻尺の販売方法に関し、より詳しくは、短期間の市場投入や小ロットのＯＥＭ（他社ブランドで販売される製品を製造する）に有利であり、しかも、問屋や小売店が自社の好みに合ったケースのデザインやオプション品などを選定することもできる製造方法と、この巻尺の発注を容易にできるようにした販売方法に関する。
【背景技術】
【０００２】
従来、巻尺の一般的な製造方法は、回転ドラムに、巻き取り用のゼンマイばねを内装すると共に周囲に測定用テープを巻回し、この回転ドラムを例えば２つ割りで構成したケース内に回転自在に支持し、それぞれのケースたる半ケースどうしを固定用ねじで固定している。
【０００３】
ケースは金型で成形され、巻尺の本体となると共に、上述の回転ドラムを支持する軸を立設するための軸の支持部、測定用テープを出入りさせるための測定用テープ出入り口部、引き出した測定用テープに制動をかけるブレーキシューを操作するためのブレーキレバー取り付け部など、形状が複雑な部分までもが金型によって一体的に形成される。このため、金型の製作費は非常に高額である。
【０００４】
そして、巻尺の販売価格を設定する際は、金型の製作にかかった費用も加味されるのであるが、製品の市場競争力を優位にするため製品価格は抑えた価格設定にしているのが普通であり、このため、金型の製作費の回収や開発費の回収が終わるまでに長期間を要することもしばしばあって、新規デザインに変更して市場競争力を高めたくても簡単にはできなかった。従って、従来の製造方法では、短期間の市場投入や小ロット生産が非常に難しかった。
【０００５】
また、ＯＥＭ（他社ブランドで販売される製品を製造する）の依頼があり、しかもケースを相手先ブランドのデザインに変更するなどの場合は、多大な費用を掛けて製作した金型の製作費を回収できるかなどの不安も残ることなどから、安易に受注することができず、せっかくの売上増に繋がる商談を断らなければならないことも多々あった。
【先行技術文献】
【特許文献】
【０００６】
【特許文献１】特開２０１１−１５８３００号公報
【発明の概要】
【発明が解決しようとする課題】
【０００７】
本発明の目的とするところは、短期間の市場投入や小ロットのＯＥＭ（他社ブランドで販売される製品を製造する）に有利であり、しかも、問屋や小売店が自社の好みに合ったケースデザインやオプション品などを選定することもできる製造方法と、この巻尺の発注を容易にできるようにした販売方法を提供できるようにすることにある。
【課題を解決するための手段】
【０００８】
上述した課題を解決するため本発明に係る巻尺の製造方法は、少なくとも、巻き取り用ばねを内装し且つ周囲に測定用テープを巻き回している回転ドラムをケース内に回転自在に支持してベースケース体を構成しておき、このベースケース体の全部もしくは一部に、任意の形状に形成したデザインケース体を被装して本体ケースを構成したことを特徴とするものである。
【０００９】
上記、回転ドラムに内装する巻き取り用のばねは、回転ドラムに巻き回する測定用テープの素材（金属やグラスファイバなど）やテープの長さなどによって高トルクのばねや低トルクのばねが適宜選定され用いられている。
【００１０】
また、回転ドラムを回転自在に支持するには、支持部材に立設した軸に回転ドラムを軸に支持（軸支）して行われるが、上記回転ドラムが回転自在に支持できれば軸支に限定するものではなく、適宜方法によって支持すればよい。
【００１１】
そして、回転ドラムを回転自在に支持するベースケース体の望ましい形態は、外部との接触を阻止可能なケース体の内部に回転ドラムを収容するのがよく、このようにすれば、ベースケース体を作り置きしておく場合でも塵挨の内部侵入を高に阻止できる。また、塵挨の内部侵入を阻止可能な保管方法であれば、ケース体の任意の部位に開口を形成してベースケース体を軽量化（肉抜き）してもよい。
【００１２】
また、上記ベースケース体に、外部に引き出した測定用テープを引き出し位置で止めておくことが可能な制動手段を設ける場合もあり、該制動手段は、測定用テープを外部に引き出した後に制動手段の構成部材たるブレーキレバーを操作し、測定用テープを該引き出した位置に固定する巻尺に備える一般的なものや、外部に引き出した測定用テープから手を放すと同時に該引き出した位置に測定用テープが固定されるオートロック式のものなどが設けられる。
【００１３】
また、上記デザインケース体を、複数の異なる形状のものを用意することにより、該デザインケース体をベースケース体に被装して本体ケースを構成したときに複数のデザインの本体ケースを得ることができる。
【００１４】
また、ベースケース体の全部もしくは一部に被装するデザインケース体は、ベースケース体の形態によって適宜形態を変える場合があり、例えば、ベースケース体を２ピースなど複数ピース構成とし、それぞれの半ケースの開口縁を組み合わせて１つのケースとする場合は、デザインケース体を、ベースケース体を挿入するための開口（被せ口）を有するワンピース構成にするのがよい。また、ベースケース体とデザインケース体とを２ピースなど複数ピース構成とする場合は、デザインケース体をベースケース体の全部もしくは一部に被装したとき、ベースケース体とデザインケース体の組み合わされた半ケースのそれぞれの開口縁が、同一面において交差するようにするのがよい。
【００１５】
また、上記ベースケース体、乃至、デザインケース体は、オプション品として用意される部材を装着可能に構成するのがよい。またオプション品とは、予めメーカで装着可能に用意している部材（部分品）で、これらをユーザが好みに合わせたり、また必要に応じて選択できるようにしているものである。このオプション品としては、一例として、測定用テープ（例えば、ＪＩＳ表示有り／無し／幅／長さ／厚みなどの選択）、ネームプレート（例えば、メッキプレート有り／無しなどの選択）、便利用具（例えば、ベルトクリップ／ハンドストラップ／カラビナ／マグネットなどの選択）、ケース色／表面加工（メッキ／滑止め付などの選択）である。なお、測定用テープの選択で、幅／長さ／厚みの選択の場合は、ベースケース体とデザインケース体は、選択された測定用テープに対応させればよい。
【００１６】
そして、本発明に係る巻尺の販売方法は、少なくとも、巻き取り用ばねを内装し且つ周囲に測定用テープを巻き回している回転ドラムをケース内に回転自在に支持してベースケース体を構成しておき、このベースケース体の全部もしくは一部に、任意の形状に形成したデザインケース体を被装して本体ケースを構成する巻尺の販売方法であって、メーカは、予め作成したオーダ表（注文書）をユーザ（問屋や小売店など）に提供し、ユーザは、オーダ表中に用意されている複数のデザインケース体と複数のオプション品の中から所望のものを選定し、必要数量をオーダ表に記してメーカに送付して注文を完了できるようにしたことを特徴とするものである。なお、ユーザは、個人も含む。
【００１７】
上述しているが、オプション品とは、予めメーカで装着可能に用意している部材（部分品）で、これらをユーザが好みに合わせたり、また必要に応じて選択できるようにしているものである。このオプション品としては、一例として、測定用テープ（例えば、ＪＩＳ表示有り／無し／幅／長さ／厚みなどの選択）、ネームプレート（例えば、メッキプレート有り／無しなどの選択）、便利用具（例えば、ベルトクリップ／ハンドストラップ／カラビナ／マグネットなどの選択）、ケース色／表面加工（メッキ／滑止め付などの選択）である。なお、測定用テープの選択で、幅／長さ／厚みの選択の場合は、ベースケース体とデザインケース体は、選択された測定用テープに対応させればよい。
【００１８】
そして、オーダ表を筆記可能な例えば紙材で構成して、このオーダ表を郵送もしくはファクシミリでメーカに送付してもよい。
【００１９】
また、インターネットを利用して、ユーザが、オーダ表を自社（自身）のパソコンのディスプレイに表示し、任意の時間にオーダ表を作成（入力）してメーカに送信（送付）するようにしてもよい。
【発明の効果】
【００２０】
本発明の巻尺の製造方法によれば、金型製作費や開発費が高額になる巻尺の基本構造をベースケース体に集約し、巻尺のデザインを主に決定させる要素（ケースの形状／付加するオプション品など）を金型の製作費や開発費が低額で済むデザインケース体に集約し、そして、ベースケース体にデザインケース体を被装することで本体ケース（巻尺）が構成（すなわちベースケース体にデザインケース体が被装されて本体ケース（巻尺）のデザインが完成する）されるので、巻尺のデザインを即座に市場の動向に合わせたいときにも、少額の投資で済むデザインケース体だけを変更すればよい（すなわち、新デザインの巻尺を安価に市場投入できる）。従って、投資の回収も短期間で済むため、市場の動向に合わせた短期間の市場投入、また、小ロットでのＯＥＭ受注も行うことができる。
【００２１】
また、ＯＥＭにおいては、少額の投資で済むデザインケース体の利点を活かして、異なる形状のデザインケース体やオプション品を複数用意することができるので、複数の問屋や小売店からＯＥＭ受注を受けてもこれら問屋や小売店の間で同じデザインの巻尺になってしまう恐れも少なく、問屋や小売店は自社の好みに合った巻尺を販売できる。そして、メーカにおいても多くの問屋や小売店からのＯＥＭ受注の商談に対応することができ、売上の増加に繋がる。
【００２２】
そして、本発明の巻尺の販売方法によれば、製品（巻尺）の注文は、予めメーカで作成したフォーマットのオーダ表（注文書）を問屋や小売店に提供しているので、ユーザは、オーダ表中に用意されている複数のデザインケース体と複数のオプション品の中から所望のものを選定し、必要数量をオーダ表に記して郵送やファクシミリやインターネットで２４時間いつでも好きな時間に注文することができる。以上のことから、問屋や小売店またメーカは在庫負担を少なくできるため、本発明の巻尺の製造方法とこの巻尺の販売方法は、経営にとって非常に優しい方法である。
【図面の簡単な説明】
【００２３】
【図１】本発明に係る巻尺の製造方法を示した斜視図。
【図２】デザインケース体の一例を示した側面図。
【図３】本発明に係る巻尺の販売方法を示した図。
【発明を実施するための形態】
【００２４】
以下、本発明に係る巻尺の製造方法とこの巻尺の販売方法を、添付図面に示す具体例に基づいて説明する。
【００２５】
図１は、本巻尺の製造方法を示していて、巻尺は、図１中の（ａ）のように、巻き取り用ばね１を内装し且つ周囲に測定用テープ２を巻き回している回転ドラム３をケース内に回転自在に軸支（軸６）してベースケース体４（図２を参照）を構成し、このベースケース体４の概ね後方部位に、所望の形状に形成したデザインケース体５を被装する。
【００２６】
また、図中の符号７は、測定用テープ２の先端に設けているフック、図中の符号８は、ケース外部に引き出した測定用テープ２を引き出し位置で止めておく制動手段のブレーキレバーであり、本制動手段は、ブレーキレバー８を測定用テープ２方向（図中では下方向）に移動させることにより、ブレーキレバー８に接続するブレーキアーム先端のシュー（図示は省略）が測定用テープ２に当接して測定用テープ２を制動するものである。
【００２７】
また、図中の符号９は、２ピース構成のベースケース体４の左右ベースケースを固定している固定用ねじである。
【００２８】
また、本実施例のデザインケース体５は、ベースケース体４を挿入するための開口（被せ口１０）を有するワンピース構成にしているもので、これにより、ベースケース体４がデザインケース体５によってしっかりと保持されるので、デザインケース体５のケース厚を薄くすることができ、完成した巻尺の軽量化にも繋げられる。
【００２９】
図１中の（ｂ）は、ベースケース体４にデザインケース体５を被装して完成した本体ケース１１（巻尺）である。また、ベースケース体４とデザインケース体５との固定は、公知の技術や部材によって適宜固定すればよく、一例としては、ねじによる固定や接着手段による固定や嵌め合いによる固定や圧入による固定などである。
【００３０】
図３は、本巻尺の販売方法を示していて、メーカは、少なくとも、巻き取り用ばねを内装し且つ周囲に測定用テープを巻き回している回転ドラムがケース内に回転自在に軸支する複数種類のベースケース体（本実施例では、ＪＩＳ有テープ／ＪＩＳ無テープ／マグネットフック付を示している）と、ベースケース体に被装するデザインケース体（本実施例では、デザイン１／デザイン２／デザインｎを示している）と、ベースケース体にデザインケース体を被装して完成させた本体ケース（巻尺）に装着する各種オプション、本実施例での一例として、ネームプレート（本実施例では、メッキ有デザイン１／メッキ有デザイン２／デザインｎを示している）と、便利用具（本実施例では、マグネット固定用／カラビナフック用／ハンドストラップ用を示している）と、オーダ表（注文書）を用意している。
【００３１】
そして、オーダ表は、予めユーザ（問屋や小売店など）に提供し、ユーザは、オーダ表中に用意されている複数のデザインケース体と複数のオプション品の中から所望のものを選定し、必要数量をオーダ表に記してメーカに送付すれば、注文が完了できるようにしている。
【００３２】
また、オーダ表（注文書）のメーカへの送付は、オーダ表を筆記可能な例えば紙材で構成した場合は、オーダ表を郵送もしくはファクシミリでメーカに送付する。
【００３３】
また、インターネットを利用して、ユーザが、オーダ表を自社（自身）のパソコンのディスプレイに表示し、任意の時間にオーダ表を作成（入力）してメーカに送信（送付）する。
【符号の説明】
【００３４】
１…巻き取り用ばね
２…測定用テープ
３…回転ドラム
４…ベースケース体
５…デザインケース体
６…軸
７…フック
８…ブレーキレバー
９…固定用ねじ
１０…被せ口
１１…本体ケース
【図１】
2015178987.tif 000003
【図２】
2015178987.tif 000004
【図３】
2015178987.tif 000005